(57)【要約】      （修正有）【課題】空洞部を塞いで、水が溜まることや、害虫や悪臭が発生するのを防ぐことができると共に、空洞部の周囲の地盤を強化して新たに空洞部が発生するのを未然に防ぐことができる床下の補強及び地盤強化方法を提供する。【解決手段】床下の補強及び地盤強化方法は、建物の地盤７に隣接する床２に貫通孔３を形成する工程と、貫通孔３から膨張性樹脂５を注入する工程と、膨張性樹脂５が、空洞部８の内部で水分と反応して膨張する工程と、空洞部８が、膨張性樹脂５によって満たされる工程と、膨張性樹脂５が、空洞部の周囲の地盤６に浸透して、周囲の地盤６が強化される工程と、貫通孔３を塞ぐ工程とを有している。【選択図】図１
2020197048.tif 000002
【特許請求の範囲】
【請求項１】
建物の床下と地盤との間に生じた空洞部を塞いで補強すると共に、空洞部の周囲の地盤を強化する方法であって、
建物の地盤に隣接する床に貫通孔を形成する工程と、
前記貫通孔から膨張性樹脂を注入する工程と、
前記膨張性樹脂が、前記空洞部の内部で水分と反応して膨張する工程と、
前記空洞部が、前記膨張性樹脂によって満たされる工程と、
前記膨張性樹脂が、前記空洞部の周囲の地盤に浸透して、該周囲の地盤が強化される工程と、
前記貫通孔を塞ぐ工程と、を有することを特徴とする床下の補強及び地盤強化方法。
【請求項２】
膨張性樹脂は、膨張した状態でゲル状化していることを特徴とする請求項１に記載の床下の補強及び地盤強化方法。
【請求項３】
膨張性樹脂は、主剤と触媒とから構成され、前記主剤は、ウレタンプレポリマーと、ポリメチレンポリフェニルボリイソシアネートと、フタル酸ジーノルマルーブチルと、を含むことを特徴とする請求項１又は２に記載の床下の補強及び地盤強化方法。
【請求項４】
触媒は、フタル酸ジーノルマルーブチルと、ジメチルアルキルアミンと、を含むことを特徴とする請求項３に記載の床下の補強及び地盤強化方法。
【発明の詳細な説明】
【技術分野】
【０００１】
本発明は、建物の床下と地盤との間に生じた空洞部を塞いで補強すると共に、空洞部の周囲の地盤を強化する方法に関するものである。
【背景技術】
【０００２】
従来から、工場等の床下の地盤が沈下することにより発生した空洞部を補修する方法は知られている（特許文献１）。
【０００３】
特許文献１に記載の床下補修方法は、建物の床と地盤表面のとの間に生じた空洞部の上方位置で床に孔を開け、発泡樹脂原料及び水を通さず気体のみ透過可能な材質からなる袋体を、床の孔から床下に配置し、床の孔に挿入したパイプから発泡樹脂原料を床下の袋体内に注入し、袋体内で発泡形成した発泡体によって床を支持するものである。
【先行技術文献】
【特許文献】
【０００４】
【特許文献１】特開２０１２−２０２０４７号公報
【発明の概要】
【発明が解決しようとする課題】
【０００５】
しかしながら、上記特許文献１に記載の床下補修方法は、空洞部を完全に塞ぐものではないため、水が溜まり、害虫や悪臭が発生するのを防ぐことはできなかった。
【０００６】
また、発泡樹脂原料は、袋体を通過するものではないことから、空洞部の発生によって緩んだ周囲の地盤を強化することはできず、空洞部の広がりを防ぐことに関して課題を有していた。
【０００７】
本発明は、上述した問題点を解決するためになされたものであり、空洞部を塞いで、水が溜まることや、害虫や悪臭が発生するのを防ぐことができると共に、空洞部の周囲の地盤を強化して新たに空洞部が発生するのを未然に防ぐことができる床下の補強及び地盤強化方法を提供することを目的とする。
【課題を解決するための手段】
【０００８】
請求項１の床下の補強及び地盤強化方法の発明は、建物の床下と地盤との間に生じた空洞部を塞いで補強すると共に、空洞部の周囲の地盤を強化する方法であって、建物の地盤に隣接する床に貫通孔を形成する工程と、前記貫通孔から膨張性樹脂を注入する工程と、前記膨張性樹脂が、前記空洞部の内部で水分と反応して膨張する工程と、前記空洞部が、前記膨張性樹脂によって満たされる工程と、前記膨張性樹脂が、前記空洞部の周囲の地盤に浸透して、該周囲の地盤が強化される工程と、前記貫通孔を塞ぐ工程と、を有することを特徴としている。
【０００９】
請求項１の発明では、膨張性樹脂によって空洞部が満たされると共に、膨張性樹脂が空洞部の周囲の地盤に浸透して緩んだ周囲の地盤が強化されるので、空洞部に水が溜まることや、害虫や悪臭が発生するのを防ぐことができると共に、空洞部の周囲の地盤から新たに空洞部が発生するのを未然に防ぐことができる。
【００１０】
請求項２の発明は、請求項１の発明において、膨張性樹脂は、膨張した状態でゲル状化していることを特徴としている。したがって、膨張性樹脂によって空洞部を塞ぐことができると共に、ゲル状化していることで緩んだ周囲の地盤に浸透し易く、容易に周囲の地盤を強化することができる。
【００１１】
請求項３の発明は、請求項１又は２の発明において、膨張性樹脂は、主剤と触媒とから構成され、前記主剤は、ウレタンプレポリマーと、ポリメチレンポリフェニルボリイソシアネートと、フタル酸ジーノルマルーブチルと、を含むことを特徴としている。したがって、膨張性樹脂の膨張性や周囲の地盤への浸透性を高めることができる。
【００１２】
請求項４の発明は、請求項３の発明において、触媒は、フタル酸ジーノルマルーブチルと、ジメチルアルキルアミンと、を含むことを特徴としている。したがって、主剤による膨張性樹脂の膨張性や周囲の地盤への浸透性をより一層高めることができる。
【発明の効果】
【００１３】
請求項１の発明は、空洞部に水が溜まることや、害虫や悪臭が発生するのを防ぐことができると共に、空洞部の周囲の地盤から新たに空洞部が発生するのを未然に防ぐことができる。
【００１４】
請求項２の発明は、膨張性樹脂によって空洞部を塞ぐことができると共に、ゲル状化していることで緩んだ周囲の地盤に浸透し易く、容易に周囲の地盤を強化することができる。
【００１５】
請求項３及び４の発明は、膨張性樹脂の膨張性や周囲の地盤への浸透性を高めることができる。
【図面の簡単な説明】
【００１６】
【図１】本発明に係る床下の補強及び地盤強化方法を使用した施工の途中の状態を示す説明図。
【図２】本発明に係る床下の補強及び地盤強化方法を使用した施工の途中の状態を示す説明図。
【図３】本発明に係る床下の補強及び地盤強化方法を使用した施工が完了した状態であって、一部を拡大した状態を示す説明図。
【図４】本発明に係る床下の補強及び地盤強化方法を使用した施工が完了した状態を示す説明図。
【発明を実施するための形態】
【００１７】
以下、本発明の実施形態について、図面を参照しながら説明する。なお、この実施の形態によって本発明が限定されるものではない。
【００１８】
図１及び図２は、本発明に係る床下の補強及び地盤強化方法を使用した施工の途中の状態を示す説明図である。作業者９は、膨張性樹脂５を注入する注入装置１を使用して、パイプ４を経由させて地盤７に生じた空洞部８へ膨張性樹脂５の注入を行う。
【００１９】
その為には、まず、パイプ４を空洞部８へ到達させる為に、床２に貫通孔３を形成する工程が必要になる。貫通孔３は、ドリル等を使用して形成され、その直径は、パイプ４が通過できる大きさであるので、２ｃｍ〜３ｃｍ程度で足りる。
【００２０】
そして、貫通孔３から膨張性樹脂５を注入すると、膨張性樹脂５は、空洞部８の内部にある水分と反応して膨張する。尚、空洞部８に水分が無い場合には、作業者９が貫通孔３から水分を注入する。この膨張性樹脂５は、膨張した状態でゲル状化している。
【００２１】
そして、膨張性樹脂５によって空洞部８が満たされていくと共に、ゲル状化した膨張性樹脂５は、空洞部の周囲の地盤６に浸透して、この周囲の地盤６が強化されていく。これにより、空洞部の周囲の地盤６から地盤７に向って新たに空洞部が発生するのを未然に防ぐことができる。
【００２２】
尚、膨張性樹脂５は、主剤と触媒とから構成されており、主剤は、ウレタンプレポリマーと、ポリメチレンポリフェニルボリイソシアネートと、フタル酸ジーノルマルーブチルとを含んでいる。その構成比率（重量パーセント）は、ウレタンプレポリマーが２０〜３０％、ポリメチレンポリフェニルボリイソシアネート３０〜４０％、フタル酸ジーノルマルーブチルが３５〜４５％が好ましい。
【００２３】
また、触媒は、フタル酸ジーノルマルーブチルと、ジメチルアルキルアミンとを含んでいる。その構成比率（重量パーセント）は、フタル酸ジーノルマルーブチルが３５〜４５％、ジメチルアルキルアミンが３０〜４０％が好ましい。
【００２４】
図３は、本発明に係る床下の補強及び地盤強化方法を使用した施工が完了した状態であって、一部を拡大した状態を示す説明図である。この図に示すように、ゲル状化した膨張性樹脂５は、空洞部の隙間部１０に入り込むことができ、この隙間部１０の周囲の地盤６にも浸透して周囲の地盤６が強化される。
【００２５】
そして、図３に示すように、空洞部８が膨張性樹脂５によって塞がれた状態で、膨張性樹脂５が貫通孔３まで上昇してくると、貫通孔３に綿１４が詰められ、セメント１５によって貫通孔３が塞がれる。
【００２６】
図４は、本発明に係る床下の補強及び地盤強化方法を使用した施工が完了した状態を示す説明図である。この図に示すように、人間１１、製造機器１２、フォークリフト１３等の荷重がかかる工場の床２の床下に新たに空洞部が発生するのを未然に防ぐことができる。また、本発明は、重量のある製造機器１２等を移動することなく実施することができる。
【産業上の利用可能性】
【００２７】
本発明は、建物の床下と地盤との間に生じた空洞部を塞いで補強する為と、空洞部の周囲の地盤を強化する為に利用される。
【符号の説明】
【００２８】
１  注入装置
２  床
３  貫通孔
４  パイプ
５  膨張性樹脂
６  空洞部の周囲の地盤
７  地盤
８  空洞部
９  作業者
１０  空洞部の隙間部
１１  人間
１２  製造機器
１３  フォークリフト
１４  綿
１５  セメント
【図１】
2020197048.tif 000003
【図２】
2020197048.tif 000004
【図３】
2020197048.tif 000005
【図４】
2020197048.tif 000006